(57)【要約】  本発明は、操作要素本体（７）と、機械（２）の制御装置（３）に命令を入力するための回転ノブ（１０）とを備えた、電気的に制御される機械（２）のための操作要素（４）に関し、回転ノブ（１０）は操作要素本体（７）に回転軸を中心に回転可能に配置されており、回転軸は外側面によって包囲されていて、回転ノブ（１０）はこの外側面で機械オペレータ（５）によって摘ままれて回動可能である。回転ノブ（１０）の外側面（１２）には、少なくとも１つの第１のセンサ素子によって検知されている第１のセンサ領域が形成されており、この第１のセンサ素子によって機械オペレータによる第１のセンサ領域の接触が検知可能である。回転ノブ（１０）の外側面にはさらに第１のセンサ領域から離間した把持領域が形成されている。さらに本発明は、操作要素（４）を使用して電気的に制御される機械（２）の制御装置（３）に命令を入力するための方法に関する。
2020516967.tif 000002
【特許請求の範囲】
【請求項１】
操作要素本体（７）と、機械（２）の制御装置（３）に命令を入力するための回転ノブ（１０）とを備えた、電気的に制御される機械（２）の操作要素（４）であって、
前記回転ノブ（１０）は前記操作要素本体（７）に回転軸を中心に回転可能に配置され、回転軸（１１）は外側面（１２）によって包囲され、前記回転ノブ（１０）は前記外側面で機械オペレータ（５）によって摘ままれ、かつ回動可能である操作要素（４）において、
前記回転ノブ（１０）の前記外側面（１２）には、少なくとも１つの第１のセンサ素子（１８）によって検知されている第１のセンサ領域（１７）が形成され、前記第１のセンサ素子（１８）によって機械オペレータ（５）による前記第１のセンサ領域（１７）の接触が検知可能であり、前記第１のセンサ領域（１７）から離間した把持領域（１９）が前記回転ノブ（１０）の外側面（１２）に形成されていることを特徴とする操作要素。
【請求項２】
前記第１のセンサ領域（１７）と前記把持領域（１９）は軸方向で互いに離間して形成され、前記第１のセンサ領域（１７）は前記回転ノブ（１０）の外側面（１２）に全面的に形成されていることを特徴とする請求項１に記載の操作要素。
【請求項３】
前記回転ノブ（１０）の前記外側面（１２）は第２のセンサ領域（２０）を有し、該第２のセンサ領域（２０）に少なくとも１つの第２のセンサ素子（２１）が配置され、前記第１のセンサ領域（１７）と前記第２のセンサ領域（２０）は軸方向で互いに離間して前記回転ノブ（１０）に配置されていることを特徴とする請求項１又は２に記載の操作要素。
【請求項４】
前記第１のセンサ領域（１７）は前記把持領域（１９）よりも前記操作要素本体（７）に近い位置に配置されていることを特徴とする請求項１〜３の何れか一項に記載の操作要素。
【請求項５】
第２のセンサ領域（２０）は前記第１のセンサ領域（１７）よりも前記操作要素本体（７）に近い位置に配置されていることを特徴とする請求項２又は４に記載の操作要素。
【請求項６】
前記回転ノブ（１０）の前記外側面（１２）は段部（１４）を有し、特に該段部（１４）の端面（１５）に前記第１のセンサ領域（１７）又は第２のセンサ領域（２０）が配置されていることを特徴とする請求項１〜５の何れか一項に記載の操作要素。
【請求項７】
前記第１のセンサ領域（１７）又は前記第２のセンサ領域（２０）は、前記段部（１４）の端面（１５）から前記段部（１４）の外周領域（１６）に延びていることを特徴とする請求項６に記載の操作要素。
【請求項８】
前記段部（１４）の外周領域（１６）に少なくとも１つの第３のセンサ素子（２３）を有する第３のセンサ領域（２２）が形成されていることを特徴とする請求項６に記載の操作要素。
【請求項９】
前記回転ノブ（１０）の前記把持領域（１９）にはセンサ素子が配置されていないことを特徴とする請求項１〜８の何れか一項に記載の操作要素。
【請求項１０】
前記回転ノブ（１０）は基本輪郭が回転対称形、特に円筒形に形成され、直径（１３）が２０ｍｍ〜８０ｍｍ、特に３５ｍｍ〜６０ｍｍ、好ましくは４０〜５０ｍｍであることを特徴とする請求項１〜９の何れか一項に記載の操作要素。
【請求項１１】
１つ以上のセンサ素子（１８、２１、２３）は容量センサとして設計されていることを特徴とする請求項１〜１０の何れか一項に記載の操作要素。
【請求項１２】
１つ以上のセンサ素子（１８、２１、２３）は導電率計測によって実現されることを特徴とする請求項１〜１０の何れか一項に記載の操作要素。
【請求項１３】
１つ以上のセンサ素子（１８、２１、２３）は圧力に敏感に設計され、機械オペレータ（５）の手（６）の作用力の大きさを検知できることを特徴とする請求項１〜１２の何れか一項に記載の操作要素。
【請求項１４】
前記操作要素本体（７）にディスプレイ（８）と押しボタン（９）とが配置されていることを特徴とする、請求項１〜１３の何れか一項に記載の操作要素。
【請求項１５】
操作要素本体（７）と、該操作要素本体（７）に回転軸（１１）を中心に回転可能に配置された回転ノブとを有する操作要素（４）であって、前記回転ノブ（１０）は把持領域（１９）と少なくとも１つのセンサ領域（１７、２０、２２）とを有する操作要素（４）の使用、特に請求項１〜１４の何れか一項に記載の操作要素を使用して、電気的に制御される機械（２）の制御装置（３）に命令を入力するための方法であって、
前記把持領域（１９）又はセンサ領域（１７、２０、２２）の１つにおいて機械オペレータ（５）の手（６）で前記操作要素（４）の前記回転ノブ（１０）を摘まむステップと、
前記操作要素（４）の回転ノブ（１０）を回転軸（１１）を中心に回転させることによって前記機械（２）の前記制御装置（３）に選択命令を入力するステップと、
機械オペレータ（５）の手（６）を前記回転ノブ（１０）に対して相対的に軸方向にずらして前記機械（２）の前記制御装置（３）に選択命令を入力するステップであって、機械オペレータ（５）の手（６）が前記センサ領域（１７、２０、２２）の１つから他の前記センサ領域（１７、２０、２２）へ、又は前記把持領域（１９）から前記センサ領域（１７、２０、２２）の１つへ、又は前記センサ領域（１７、２０、２２）の１つから把前記持領域（１９）へ摺動し、このような動作が関連するセンサ素子（１８、２１、２３）によってそれぞれ検知されて確認命令が入力される、選択命令を入力する方法ステップと、を含む方法。
【請求項１６】
種々のメニュー項目の間でナビゲートするために前記操作要素（４）の前記回転ノブ（１０）を第１のセンサ領域（１７）で摘まみ、前記回転ノブ（１０）を回すことによって種々のメニュー項目の間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて選択されたメニュー項目が確認され、それによって開くことを特徴とする請求項１５に記載の方法。
【請求項１７】
種々のメニュー項目の間でナビゲートするために前記操作要素（４）の前記回転ノブ（１０）を第２のセンサ領域（２０）で摘まみ、前記回転ノブ（１０）を回すことによって種々のメニュー項目の間でナビゲートし、機械オペレータ（５）の手（６）を前記第２のセンサ領域（２０）から第１のセンサ領域（１７）へ軸方向に動かすことによって、又は前記回転ノブ（１０）を放すことによって、前記機械（２）の制御装置（３）に確認命令が入力されて選択されたメニュー項目が確認され、それによって開くことを特徴とする請求項１５に記載の方法。
【請求項１８】
多数のパラメータの選択範囲において１つのパラメータを調整するために、前記操作要素（４）の前記回転ノブ（１０）を第１のセンサ領域（１７）で摘まみ、前記回転ノブ（１０）を回すことによって種々のパラメータの間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて選択されたパラメータが確認され、それによって開いて編集可能となり、
及び続いて機械オペレータ（５）の手（６）を再び前記第１のセンサ領域（１７）に案内して、前記回転ノブ（１０）を回すことによって調整すべきパラメータの個々の数字の間で選択することができ、機械オペレータ（５）の手（６）を再び前記第１のセンサ領域（１７）から前記第２のセンサ領域（２０）へ軸方向に動かすことによって前記機械（２）の前記制御装置（３）に確認命令が入力されて、選択された数字が調整可能になり、
及び続いて機械オペレータ（５）の手（６）を再び前記第１のセンサ領域（１７）に案内して、前記回転ノブ（１０）を回すことによって選択された数値を選択でき、再び機械オペレータ（５）の手（６）を前記第１のセンサ領域（１７）から前記第２のセンサ領域（２０）へ軸方向に動かすことによって、前記機械（２）の前記制御装置（３）に確認命令が入力されて、選択された数値が確認され、新しい数字が選択可能であることを特徴とする請求項１５〜１７の何れか一項に記載の方法。
【請求項１９】
多数のパラメータの選択範囲において１つのパラメータを調整するために、前記操作要素（４）の前記回転ノブ（１０）を第１のセンサ領域（１７）で摘まみ、前記回転ノブ（１０）を回すことによって種々のパラメータの間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて選択されたパラメータが確認され、それによって開いて編集可能となり、
及び機械オペレータ（５）の手（６）を同時に前記第２のセンサ領域（２０）に保持したまま前記回転ノブ（１０）を回動することによって全パラメータ値がそのすべての数字を考慮に入れて調整され、及び前記回転ノブ（１０）を放すことによって、又は機械オペレータ（５）の手（６）を前記第２のセンサ領域（２０）から前記第１のセンサ領域（１７）へ軸方向に動かすことによって調整されたパラメータ値が確認されることを特徴とする請求項１５〜１７の何れか一項に記載の方法。
【請求項２０】
電気的に制御される機械（２）の駆動ユニットの移動運動を選択するために、前記操作要素（４）の前記回転ノブ（１０）を第１のセンサ領域（１７）で摘まみ、前記回転ノブ（１０）を回すことによって種々の運動位置の間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて移動運動が開始され、任意選択により移動運動中に前記回転ノブ（１０）を回して別の運動位置を選択することにより移動速度を変更できることを特徴とする請求項１５〜１９の何れか一項に記載の方法。
【請求項２１】
電気的に制御される機械（２）の駆動ユニットの移動運動を選択するために、前記操作要素（４）の前記回転ノブ（１０）を第２のセンサ領域（２０）で摘まみ、前記回転ノブ（１０）を回すことによって種々の運動位置の間でナビゲートし、運動位置を選択した直後に前記機械（２）の前記制御装置（３）に確認命令が入力されて移動運動が開始され、任意選択により移動運動中に前記回転ノブ（１０）を回して別の運動位置を選択することにより移動速度を変更できることを特徴とする請求項１５〜１９の何れか一項に記載の方法。
【請求項２２】
電気的に制御される機械（２）の駆動ユニットの移動速度を選択するために、前記操作要素（４）の前記回転ノブ（１０）を第１のセンサ領域（１７）で摘まみ、前記操作要素（４）の前記回転ノブ（１０）を回すことによって種々の速度を連続的又は増分的に調整することができ、機械オペレータ（５）の手（６）を前記第１のセンサ領域（１７）から第２のセンサ領域（２０）へ軸方向に動かすことによって前記機械（２）の前記制御装置（３）に確認命令が入力されて移動運動が開始され、任意選択により移動運動中に前記回転ノブ（１０）を回して移動速度を変更できることを特徴とする請求項１５〜２１の何れか一項に記載の方法。
【請求項２３】
電気的に制御される機械（２）の駆動ユニットの移動運動を選択するために、前記操作要素（４）の前記回転ノブ（１０）を第２のセンサ領域（２０）で摘まみ、前記回転ノブ（１０）を回すことによって種々の運動速度を連続的又は増分的に調整でき、移動速度を選択した直後に前記機械（２）の前記制御装置（３）に確認命令が入力されて移動運動が開始され、任意選択により移動運動中に前記回転ノブ（１０）を回すことによって移動速度を連続的又は増分的に変更できることを特徴とする請求項１５〜２１の何れか一項に記載の方法。
【請求項２４】
前記第２のセンサ領域（２０）から手（６）を離すことによって、又は前記回転ノブ（１０）を放すことによって移動運動が停止することを特徴とする請求項２０〜２３の何れか一項に記載の方法。
【請求項２５】
移動運動が停止した後、移動速度又は移動運動のための調整値は事前に選択されたままであり、機械オペレータ（５）の手（６）を再び前記第２のセンサ領域（２０）に動かすと、駆動ユニットは移動運動又は移動速度に対して事前に調整された値で動くことを特徴とする請求項２４に記載の方法。
【請求項２６】
移動運動が停止した後、移動速度又は移動運動のための調整値はゼロに設定されなければならず、新たな移動運動は移動速度又は移動速度を事前に確定することによって開始されなければならないことを特徴とする請求項２４に記載の方法。
【請求項２７】
押しボタン（９）を２回押すことによってディスプレイ（８）にメインメニューが表示されて別の命令のためにアクセスできることを特徴とする請求項１５〜２６の何れか一項に記載の方法。
【請求項２８】
押しボタン（９）を１回押すことによってディスプレイ（８）に所定のサブメニュー、特に電気的に制御される機械（２）の駆動ユニットの移動運動を選択するためのメニューが表示されて別の命令のためにアクセスできることを特徴とする請求項１５〜２７の何れか一項に記載の方法。
【請求項２９】
押しボタン（９）を長く押すことによって複数のエラーメッセージに同時に応答できることを特徴とする請求項１５〜２８の何れか一項に記載の方法。
【請求項３０】
サブメニューの種々の階層レベルの間でナビゲートするために、前記操作要素（４）の前記回転ノブ（１０）を前記把持領域（１９）で摘まみ、前記回転ノブ（１０）を回すことによって種々のサブメニューレベルの間でナビゲートできることを特徴とする請求項１５〜２９の何れか一項に記載の方法。
【発明の詳細な説明】
【技術分野】
【０００１】
本発明は、電気的に制御される機械の操作要素、及び電気的に制御される機械の制御装置に命令を入力するための方法に関する。
【背景技術】
【０００２】
特許文献１から、射出成形機用の操作ユニットが知られている。この操作ユニットは、射出成形機の駆動ユニットの少なくとも１つの運動をトリガするための操作要素を有しており、この操作要素は基本位置から駆動ユニットの運動をトリガするトリガ領域へ移動可能である。トリガ領域は、基本位置と最大位置との間に多数の中間位置を有する。駆動ユニットのトリガされた運動の速度は、操作要素の選択された中間位置の基本位置からの距離に依存する。操作要素によって複数の駆動ユニットの運動をトリガでき、操作要素を押す、引く、揺動させるなどによって、操作要素駆動ユニットによって操作される駆動ユニットの変更が行われる。
【０００３】
特許文献１から知られている操作要素は、押す、引く、揺動させるなどによって命令を実行する操作要素が、スイッチとの相応の機械的連結を持たなければならないという欠点がある。そのような連結はエラーを起こしやすく、高価である。さらに、このような連結は例えば防爆領域では実現が困難である。
【先行技術文献】
【特許文献】
【０００４】
【特許文献１】オーストリア特許第５１２５２１（Ｂ１）号明細書
【発明の概要】
【発明が解決しようとする課題】
【０００５】
本発明の課題は、従来技術の欠点を克服し、改良された操作要素を提供することである。さらに、本発明の課題は、電気的に制御される機械の制御装置に命令を入力するための改良された方法を提供することである。
【課題を解決するための手段】
【０００６】
上記の課題は特許請求の範囲による操作要素及び方法によって解決される。
【０００７】
本発明によれば、電気的に制御される機械のための操作要素は、操作要素本体と、機械の制御装置に命令を入力するための回転ノブとを備えて構成されており、回転ノブは操作要素本体に回転軸を中心に回転可能に配置されており、回転軸は外側面によって包囲されていて、機械オペレータはこの外側面で回転ノブを摘まんで回動させることができる。回転ノブの外側面には、第１のセンサ素子によって検知されている第１のセンサ領域が形成されており、この第１のセンサ素子によって機械オペレータによる第１のセンサ領域の接触を検知できる。回転ノブの外側面には、第１のセンサ領域から離間した把持領域が形成されている。
【０００８】
本発明による操作要素の構成の利点は、操作要素によって多数の異なる制御命令を実行でき、操作要素は単純な構造を有することである。さらに、回転ノブは単純な回転センサによって操作要素本体に連結することができ、回転ノブの操作要素本体に対するそれ以外の運動、例えば、押す、引く、揺動させるなど検知する必要はない。それにより回転ノブは、例えば回転ノブと操作要素本体との間に塵埃が入るのを可能な限り防ぐために、操作要素本体に対して容易にシールすることができる。さらに、そのような回転センサは堅牢な構造を有することができる。
【０００９】
さらに、第１のセンサ領域と把持領域とが軸方向で互いに離間して形成されており、第１のセンサ領域が回転ノブの外側面に全面的に形成されていると好都合である。ここでの利点は、第１のセンサ領域を入力命令の確認に利用できることであり、機械オペレータの手を軸方向に動かすことによって確認命令をトリガできる。
【００１０】
さらに、回転ノブの外側面に第２のセンサ領域が形成されており、ここに少なくとも１つの第２のセンサ素子が配置されていて、第１のセンサ領域と第２のセンサ領域は軸方向で互いに離間して回転ノブに配置されている。ここでの利点は、第２のセンサ領域に第２のセンサ素子を採用することによって、機械オペレータの手の別の運動若しくは位置を検知でき、それにより回転ノブを用いた命令入力の可能性をさらに高めることができる点である。
【００１１】
さらに、第１のセンサ領域が把持領域よりも操作要素本体の近くに配置されているようにすることができる。ここでの利点は、機械オペレータの手を操作要素本体に向かって押すことによって確認命令を実行できることである。
【００１２】
第２のセンサ領域が第１のセンサ領域よりも操作要素本体の近くに配置されているようにした態様も有利である。
【００１３】
変形例によれば、回転ノブの外側面が段部を有しており、特に段部の端面に第１のセンサ領域又は第２のセンサ領域が配置されていることが可能である。ここでの利点は、段部が機械オペレータの手に対するストッパとして働くことができ、それによって機械オペレータにその手が現在どの位置にあるかフィードバックできることである。
【００１４】
さらに、第１のセンサ領域又は第２のセンサ領域が段部の端面から段部の外周領域に延びていると好都合であり得る。ここでの利点は、それにより機械オペレータが段部の外周領域を摘まみ、それによって別個の命令を実行する場合も、センサによって検知できることである。
【００１５】
さらに、段部の外周領域に、少なくとも１つの第３のセンサ素子を有する第３のセンサ領域が形成されているようにされてよい。ここでの利点は、機械オペレータの手が外周領域に接触することを第３のセンサ素子によって独立した入力命令として検知でき、それによって機械オペレータに追加的な命令の可能性が与えられることである。
【００１６】
さらに、回転ノブの把持領域にはセンサ素子が配置されていないようにすることができる。ここでの利点は、把持領域が回転ノブを摘まんで回転させるために働くことができる点であり、機械オペレータの手がないことにより残りのセンサに手の位置を明確に割り当てることができ、追加のセンサは不要である。このことは構造を単純化すし、若しくは回転ノブのエラーしやすさを低減する。
【００１７】
特定の態様によれば、回転ノブは、その基本輪郭が回転対称形、特に円筒形であり、直径が２０ｍｍ〜８０ｍｍ、特に３５ｍｍ〜６０ｍｍ、好ましくは４０ｍｍ〜５０ｍｍであることが可能である。ここでの利点は、そのように構成された回転ノブは機械オペレータによって扱いやすいことである。回転ノブを円筒形に形成することによってさらに達成できるのは、機械オペレータの手が回転ノブに沿って軸方向に良好に摺動でき、それにより個々の入力命令を適切に与えることができる点である。
【００１８】
有利な変形例に従い、１つ以上のセンサ素子が容量センサとして設計されているようにすることができる。ここでの利点は、そのように設計されたセンサは高い感度を持ち、したがって機械オペレータの手の位置を良好に認識できることである。
【００１９】
代替として、１つ以上のセンサ素子が導電率計測によって実現されるようにすることができる。これは、特に金属製の回転ノブにおいて廉価で堅牢な設計であり得る。
【００２０】
特に、センサ素子が圧力に敏感に設計されていて、機械オペレータの手の接触力の大きさを検知できれば有利であり得る。ここでの利点は、この計測により機械の制御装置に作用力に依存した命令を与えることができる点である。これは、例えば多段階の確認命令又は速度制御などであり得る。
【００２１】
さらに、操作要素本体にディスプレイと押しボタンが配置されているようにすることができる。ここでの利点は、ディスプレイによって実行された入力命令若しくは選択の可能性が機械オペレータに可視化され得ることである。押しボタンにより追加の入力命令が可能にされる。特にディスプレイはタッチディスプレイ又はマルチタッチディスプレイとして設計されているようにすることができる。この場合、押しボタンはタッチディスプレイ又はマルチタッチディスプレイに表示若しくは実現されているようにすることができる。
【００２２】
以下の記述で第１のセンサ領域の接触と言う場合は、同時に第２のセンサ領域と接触することなく第１のセンサ領域と接触することを意味する。第２のセンサ領域の接触と言う場合は、同時に第１のセンサ領域と接触することなく第２のセンサ領域と接触することを意味する。
【００２３】
さらに、操作要素を使用して電気的に制御される機械の制御装置に命令を入力するための方法が設けられている。操作要素は、好ましくは操作要素本体と、操作要素本体に回転軸を中心に回転可能に取り付けられた回転ノブとを有し、回転ノブは把持領域と少なくとも１つのセンサ領域を有する。この方法は以下の方法ステップを含む。すなわち、
機械オペレータの手で操作要素の回転ノブを把持領域又はセンサ領域の１つで摘まむステップと、
操作要素の回転ノブをその回転軸を中心に回転させることによって機械の制御装置における選択命令を入力するステップと、
機械オペレータの手を回転ノブに対して相対的に軸方向に動かすと、機械オペレータの手がセンサ領域の１つから他のセンサ領域へ、又は把持領域からセンサ領域の１つへ、又はセンサ領域の１つから把持領域へ摺動し、これがそれぞれ接触されるセンサ素子によって検知され、それによって確認命令を入力するステップと、を含む。
【００２４】
本発明による方法の利点は、単一の回転ノブを用いて、回転ノブを回すことによって複数の選択命令を、若しくは機械オペレータの手を軸方向に動かすことによって確認命令を電気的に制御される機械の制御装置に入力できることである。こうすることによって機械オペレータによる直感的で、できるだけ簡単且つ迅速な機械の制御が可能にされる。さらに、操作エレメントは可能な限り単純に構成でき、それゆえ堅牢であり、故障しにくくなる。この操作要素によって機械を操作する際の時間の節約も、驚くほど大きい利点として明らかになった。機械の単純化された操作性により、機械オペレータによる不正確な命令も大部分回避できる。
【００２５】
さらに、下記の方法ステップが有利であり得る。
【００２６】
種々のメニュー項目の間でナビゲートするために操作要素の回転ノブを第１のセンサ領域のみで摘まみ、回転ノブを回すことによって種々のメニュー項目の間でナビゲートし、機械オペレータの手を第１のセンサ領域から第２のセンサ領域へ軸方向に動かすことによって機械の制御装置に確認命令が入力されて選択されたメニュー項目確認され、それによって開かれるようにする態様も有利である。機械オペレータの手を軸方向にずらず際に、一方では機械オペレータの手全体を指先で第２のセンサ領域に触れるまで動かすようにすることができる。代替的に、指先が第２のセンサ領域に触れるまで個々の指だけを伸ばし若しくは前方に動かすようにすることもできる。特に確認命令を実行するために手を動かす際に、第１のセンサ領域と第２のセンサ領域の両方に触れるようにすることができる。変形例によれば、種々のメニュー項目の間でナビゲートするために、操作要素の回転ノブを第２のセンサ領域で摘まみ、回転ノブを回すことによって種々のメニュー項目の間でナビゲートし、機械オペレータの手を第２のセンサ領域から第１のセンサ領域へ軸方向に動かすことによって、又は回転ノブを放すことによって確認命令が機械の制御装置に入力されて選択されたメニュー項目が確認され、それによって開かれる。
【００２７】
さらに、多数のパラメータの選択範囲において１つのパラメータを調整するために、操作要素の回転ノブを第１のセンサ領域で摘まみ、回転ノブを回すことによって種々のパラメータの間でナビゲートし、機械オペレータの手を第１のセンサ領域から第２のセンサ領域へ軸方向に動かすことによって機械の制御装置に確認命令が入力されて選択されたパラメータが確認され、それによって開かれて編集可能となること、及び続いて機械オペレータの手を再び第１のセンサ領域に案内して回転ノブを回すことによって調整すべきパラメータの個々の数字の間で選択することができ、機械オペレータの手を再び第１のセンサ領域から第２のセンサ領域へ軸方向に動かすことによって機械の制御装置に確認命令が入力されて、選択された数字が調整可能になること、及び続いて機械オペレータの手を再び第１のセンサ領域に案内して回転ノブを回すことによって選択された数値を選択でき、機械オペレータの手を再び第１のセンサ領域から第２のセンサ領域へ軸方向に動かすことによって、機械の制御装置に確認命令が入力されて、選択された数値が確認され、新しい数字が選択可能であると、好都合であり得る。
【００２８】
さらに、多数のパラメータの選択範囲において１つのパラメータを調整するために、操作要素の回転ノブを第１のセンサ領域で摘まみ、回転ノブを回すことによって種々のパラメータの間でナビゲートし、機械オペレータの手を第１のセンサ領域から第２のセンサ領域へ軸方向に動かすことによって機械の制御装置に確認命令が入力されて選択されたパラメータが確認され、それによって開かれて編集可能となり、及び機械オペレータの手を同時に第２のセンサ領域に保持したまま回転ノブを回動することによって全パラメータ値がそのすべての数字を考慮に入れて調整され、及び回転ノブを放すことによって、又は機械オペレータの手を第２のセンサ領域から第１のセンサ領域へ軸方向に動かすことによって調整されたパラメータ値が確認されるようにすることができる。
【００２９】
さらに、電気的に制御される機械の駆動ユニットの移動運動を選択するために、操作要素の回転ノブを第１のセンサ領域で摘まみ、回転ノブを回すことによって種々の運動位置の間でナビゲートし、機械オペレータの手を第１のセンサ領域から第２のセンサ領域へ軸方向に動かすことによって機械の制御装置に確認命令が入力されて移動運動が開始され、任意選択により移動運動中に回転ノブを回して別の運動位置を選択することにより移動速度を変更できるようにされている。
【００３０】
特別の態様によれば、電気的に制御される機械の駆動ユニットの移動運動を選択するために、操作要素の回転ノブを第２のセンサ領域で摘まみ、回転ノブを回すことによって種々の運動位置の間でナビゲートし、運動位置を選択した直後に機械の制御装置に確認命令が入力されて移動運動が開始され、任意選択により移動運動中に回転ノブを回して別の運動位置を選択することにより移動速度を変更できるようにすることが可能である。
【００３１】
有利な変形例によれば、電気的に制御される機械（２）の駆動ユニットの移動速度を選択するために、操作要素の回転ノブを第１のセンサ領域で摘まみ、操作要素の回転ノブを回すことによって種々の速度を連続的又は増分的に調整することができ、機械オペレータの手を第１のセンサ領域から第２のセンサ領域へ軸方向に動かすことによって機械の制御装置に確認命令が入力されて移動運動が開始され、任意選択により移動運動中に回転ノブを回して移動速度を変更できるようにすることができる。
【００３２】
特に、電気的に制御される機械の駆動ユニットの移動運動を選択するために、操作要素の回転ノブを第２のセンサ領域で摘まみ、回転ノブを回すことによって種々の運動速度を連続的又は増分的に調整でき、移動速度を選択した直後に機械の制御装置に確認命令が入力されて移動運動が開始され、任意選択により移動運動中に回転ノブを回すことによって移動速度を連続的又は増分的に変更できると有利であり得る。
【００３３】
さらに、第２のセンサ領域から手を離すことによって、又は回転ノブを放すことによって、移動運動が停止されるようにすることができる。
【００３４】
さらに、移動運動が停止した後、移動速度又は移動運動のための調整値は事前に選択されたままであり、機械オペレータの手を再び第２のセンサ領域に動かすと、駆動ユニットは移動運動又は移動速度に対して事前に調整された値で動くようにすることができる。
【００３５】
移動運動が停止した後、移動速度又は移動運動のための調整値はゼロに設定されなければならず、新たな移動運動は移動速度又は移動速度を事前に確定することによって開始されなければならないようにすることができる態様も有利である。
【００３６】
変形例によれば、押しボタンを２回押すことによってディスプレイにメインメニューが表示されて、別の命令のためにアクセスできることが可能である。
【００３７】
さらに、押しボタンを１回押すことによってディスプレイに所定のサブメニュー、特に電気的に制御される機械の駆動ユニットの移動運動を選択するためのメニューが表示されて、別の命令のためにアクセスできると好都合であり得る。この方策により頻繁に使用されるメニューを命令に割り当てることができるので、機械におけるメニューガイダンスを高速化することができる。
【００３８】
さらに、押しボタンを長く押すことによって、複数のエラーメッセージに同時に応答できるようにすることができる。これは特に複数のエラーが発生し、機械オペレータが各エラーメッセージに個々に応答したくない場合に有利である。これにより時間の節約を達成できる。
【００３９】
さらに、サブメニュー種々の階層レベルの間でナビゲートするために、操作要素の回転ノブを把持領域で摘まみ、回転ノブを回すことによって種々のサブメニューレベルの間でナビゲートできるようにされてよい。この方策により機械オペレータはサブメニューから出て、若しくは再びサブメニューに入ってナビゲートできる。
【００４０】
回転ノブに配置されたすべてのセンサは、それぞれ割り当てられたセンサ領域を検知するために設けられた個々のセンサ素子として構成できる。
【００４１】
しかしながら、１つのセンサ領域に当該センサ領域を検知する２つ以上のセンサ素子が割り当てられることも考えられる。１つのセンサ領域に対して複数のセンサ素子を設けることは、冗長性を可能にし、それによってセンサ素子の故障を補償できるという利点をもたらすことができる。これは特に機械の安全性を高めるために必要となり得る。
【００４２】
特に、センサ素子は、回転ノブの特定の領域で機械オペレータによる接触を検知するように構成されることができる。
【００４３】
センサ素子自体は、例えば抵抗センサとして構成することができる。
【００４４】
別の可能性は、センサ素子は光学センサの形態で構成計されていることである。
【００４５】
概してセンサ素子は、機械オペレータの手による回転ノブの接触を検知するのに適した任意のセンサ素子によって実現することができる。
【００４６】
センサ素子は、回転ノブの表面に配置でき、又は回転ノブ内に埋設でき、又は相応の受容領域を設けるなど他の方策によって統合することができる。
【００４７】
第１の実施形態において、回転ノブは金属材料から形成されるようにすることができる。
【００４８】
別の実施形態では、回転ノブがプラスチックから形成されるようにすることができる。
【００４９】
さらに、回転ノブが種々の材料からなる複合部品として形成されるようにすることもできる。
【００５０】
本発明をよりよく理解するために、以下の図に基づいて詳細に説明する。
【００５１】
図は、それぞれ著しく簡略された模式的表現で示されている。
【図面の簡単な説明】
【００５２】
【図１】機械、制御装置及び操作要素を有する製造設備のレイアウトを示す。
【図２】操作要素を正面図で示す。
【図３】操作要素を側面図で示す。
【図４】機械オペレータの手が把持領域にある操作要素を側面図で示す。
【図５】機械オペレータの手が第１のセンサ領域にある操作要素を側面図で示す。
【図６】機械オペレータの手が第１のセンサ領域と第２のセンサ領域にある操作要素を側面図で示す。
【図７】機械オペレータの手が段部の外周セクションにある操作要素を側面図で示す。
【図８】操作要素を表示要素内にホームスクリーンを図示した正面図で示す。
【図９】操作要素を表示要素内にパラメータ調整画面を図示した正面図で示す。
【図１０】操作要素を表示要素内にパラメータ調整画面と選択されたパラメータ値を図示した正面図で示す。
【図１１】操作要素を表示要素内に移動運動画面を図示した正面図で示す。
【図１２】表示要素を表示要素内に移動速度画面を図示した正面図で示す。
【図１３】表示要素を表示要素内に移動速度画面と調整された移動速度値を図示した正面図で示す。
【図１４】表示要素を表示要素内にサブメニュー選択画面を図示した正面図で示す。
【発明を実施するための形態】
【００５３】
最初に確認しておくと、記載された種々の実施形態において同じ部材には同じ参照符号若しくは同じ部材名称を付す。この場合、説明全体に含まれている開示内容は同じ参照符号若しくは同じ部材名称を有する同じ部材に準用され得る。説明において選択された位置を表す言葉、例えば上、下、横なども直接説明及び表示された図を基準としており、位置が変化した場合には新しい位置に準用されるものとする。
【００５４】
図１は、電気的に制御される機械２、機械２のための制御装置３、及び機械オペレータ５によって制御命令を制御装置３に入力するための操作要素４を有する製造設備１の概略図を示している。特に機械オペレータ５はその手６で操作要素４を操作するようにされている。
【００５５】
機械２は、例えば射出成形機であってよい。さらに、機械２がロボット又は産業用の他の機械であることも考えられる。特に、機械２は部品を製造するために用いることが想定されてよい。
【００５６】
制御装置３は、およそ考えられる種類の制御装置によって構成できる。これは例えば産業用コンピュータ、プログラム可能論理制御装置、又は操作要素４を介して入力された命令を機械２に対する運動命令に変換するのに適したその他の制御装置であることができる。
【００５７】
図２及び図３において操作要素４は正面図及び側面図で示されている。
【００５８】
これら２つの図から分かるように、操作要素４は操作要素本体７を有するようにされてよく、これは操作要素４の主要な部材をなし、例えばハウジングによって画定することができる。さらに、操作要素本体７内にディスプレイ８が受容されているようにすることができる。ディスプレイ８は、メニュー項目、速度調整及び機械２の制御に必要なその他のパラメータ又はオプションを表示するために用いられる。別の実施形態では、ディスプレイ８が操作要素４に統合されておらず、ディスプレイ８が製造設備１内の他の場所に配置されているようにすることもできる。
【００５９】
さらに、操作要素４は製造設備１に定置され、有線接続によって製造設備１と連結されていてもよい。
【００６０】
代替実施形態で、操作要素４は遠隔操作の形態で構成され、無線接続を介して制御装置３と通信するようにされてもよい。
【００６１】
さらに、制御装置３が操作要素４に統合されており、制御命令が操作要素４によって機械２に直接与えられるようにすることができる。
【００６２】
図２からさらに明らかなように、操作要素４には１つ以上の押しボタン９を配置することができる。押しボタン９は、機械オペレータ５が様々な命令を操作要素４に入力するために用いることができる。
【００６３】
本発明によれば、操作要素本体７に回転ノブ１０が配置されており、これは操作要素本体７に対して相対的に回転軸１１を中心に回転可能である。回転ノブ１０は、操作要素４の主要な部材をなす。押しボタン９は任意選択により操作要素本体７から省略することができ、その機能は回転ノブ１０内でも同様に実現することができる。
【００６４】
従来技術から公知の実施形態とは反対に、回転ノブ１０は回転軸１１のみを中心に回転可能に操作要素本体７に支持されるようされている。以下に詳細に説明する回転ノブ１０の実施形態により、回転ノブ１０は操作要素本体７に対して相対的に軸方向に移動可能又は揺動可能である必要はない。
【００６５】
回転ノブ１０が回転可能にのみ操作要素本体７に受容されていることにより、回転ノブ１０と操作要素本体７との間の接続点は、単純な回転センサの携帯で構成でき、それによって回転ノブ１０は故障しにくくなる。
【００６６】
特に回転ノブ１０は、回転軸１１を包囲し、機械オペレータ５が回転ノブ１０を摘まんで回転軸１１を中心に回動させることができる外側面１２を有するようにされてよい。特に回転ノブ１０の外側面１２は、回転軸１１を中心に実質的に回転対称形に形成され、直径１３を有するようにされてよい。
【００６７】
特別の態様では、回転ノブ１０を実質的に円筒形に形成することができる。さらに、回転ノブ１０の外側面１２上に、機械オペレータ５の手６の回転ノブ１０への保持を改善できる構造要素を形成することができる。特に外側面１２上の構造要素は回転軸１１に対して平行に延びるリブ又は溝の形で形成されて、機械オペレータ５がその手６を回転ノブ１０において回転軸１１に沿って軸方向に動かすことが可能になるようにすることができる。
【００６８】
さらに、回転ノブ１０に機械オペレータ５の手に対するストッパとして働く段部１４が形成され、それにより機械オペレータ５は自分の手６の位置を知るようにすることができる。特に段部１４の端面１５が機械オペレータ５の手６に対するストッパとして働くようにすることができる。さらに、段部１４は機械オペレータ５が同様に摘まんで回転ノブ１０を回転させるために使用できる外周領域１６を有するようにされてよい。
【００６９】
さらに、回転ノブ１０には、第１のセンサ素子１８によって検知されている第１のセンサ領域１７が形成されていてもよい。第１のセンサ領域１７は、例えば回転ノブ１０の外側面１２に形成することができる。さらに、回転ノブ１０の外側面１２には、第１のセンサ領域１７から軸方向に離間した把持領域１９が形成されるようにすることができる。特に把持領域１９にはセンサ素子が配置されていないようにすることができる。
【００７０】
図３からさらに分かるように、第１のセンサ領域１７は把持領域１９よりも操作要素本体７の近くに配置されている。特に第１のセンサ領域１７は段部１４の端面１５に直接続けて配置されているようにすることができる。
【００７１】
第１のセンサ領域１７は、回転ノブ１０に全面的に形成され、機械オペレータ５の手６を検知できるように十分大きい軸方向延びを有することができる。
【００７２】
さらに、回転ノブ１０には第２のセンサ素子２１を備えた第２のセンサ領域２０が配置されているようにすることができる。特に第２のセンサ領域２０は段部１４の端面１５に全面的に形成されているようにすることができる。
【００７３】
別の実施形態では、第２のセンサ領域２０が段部１４の端面１５から段部１４の外周領域１６内に延びるようにされてよい。
【００７４】
図４〜図７には、機械オペレータ５の手６の様々な可能な位置が示されている。
【００７５】
図４〜図６では、図３に示された操作要素４が使用されている。
【００７６】
図４には、操作要素４の回転ノブ１０を摘まむことができる第１の可能性が示されている。図４の表現に従い、回転ノブ１０は把持領域１９で摘まむことができ、この場合に把持領域１９にはセンサ素子が形成されていないようにすることができる。回転ノブ１０の他のすべての領域はセンサ素子を装備できるようにすることによって、回転ノブ１０で回転運動を行う際にオペレータ５の手６が把持領域１９にも明確に割り当てられることができる。
【００７７】
図５から分かるように、機械オペレータ５の手６が回転ノブ１０を第１のセンサ領域１７で摘まむようにすることもできる。これも同様に機械２の制御装置３に固有の命令をトリガできる。
【００７８】
さらに、図６に示すように、機械オペレータ５の手６は、第１のセンサ領域１７も、段部１４の端面１５に設けた第２のセンサ領域２０も接触されるように回転ノブ１０を摘まめるようにすることができる。これも同様に固有の命令をトリガができる。簡潔にするために、この場合は回転ノブ１０を第２のセンサ領域２０で摘まむと言う。
【００７９】
例えば、機械オペレータ５の手６が図５に示す位置から、図６に示す位置へ前方に摺動することが可能である。この運動は好ましくは確認命令として使用される。
【００８０】
さらに、図７に示すように、機械オペレータ５の手６は回転ノブ１０を段部１４の外周領域１６でも摘まむことができる。第２のセンサ領域２０が段部１４の端面１５と外周領域１６にわたって延びる場合、これは第２のセンサ領域２０が作動することにつながる。
【００８１】
図７には回転ノブ１０の別の、場合によりそれ自体独立した実施形態が示されており、ここでも同じ部材には前出の図１〜図６と同じ参照符号若しくは部材名称を用いる。不必要な繰り返しを避けるために、前出の図１〜図６の詳細な説明を参照し若しくはこれに準拠する。
【００８２】
図７の実施形態によれば、段部１４の外周領域１６に第３のセンサ素子２３によって検知される第３のセンサ領域２２が形成されていることも考えられる。そのような実施形態では、段部１４の端面１５に接触することと、段部１４の外周領域１６に接触することは、それぞれ種々の命令をトリガできる。例えば第３のセンサ領域２２を使用する際に機械オペレータ５の手６は図５又は図６の表現に従って位置決めされており、特定の命令をトリガするために第３のセンサ領域２２には１本以上の指のみが置かれることも考えられる。
【００８３】
さらに、回転ノブ１０の端面２４に第４のセンサ素子２６を備えた第４のセンサ領域２６が形成されるようにすることもできる。このような第４のセンサ領域２５も同様に制御命令を入力するために使用することができる。
【００８４】
さらに回転ノブ１０に別のセンサ領域が形成されているようにすることができる。
【００８５】
図８〜図１３に基づいて、製造設備１の制御装置３に制御命令を入力するための方法について説明する。個々の方法ステップは、例えば図２及び図３に示す操作要素４を用いて２つのセンサ領域により実行可能である。その際に、特に図４〜図６に示すようなハンドグリップを使用できる。
【００８６】
図８ではディスプレイ８に主画面若しくはホームスクリーンが表示されている。主画面若しくはホームスクリーンは、例えば製造設備１又は制御エレメント４が初めて起動されたときに表示される。さらに任意のいかなる時点でも押しボタン９を２回押すことによってホームスクリーンが呼び出されることも考えられる。
【００８７】
主画面を表示するための命令が、機械オペレータ５の手６の回転ノブ１０における特定の位置によって与えられることももちろん考えられる。このために、例えば第３のセンサ領域２２及び／又は第４のセンサ領域２５が相応の入力要素として働くことができる。
【００８８】
図８から分かるように、ブロックＡからＤに例として示されている複数のサブメニュー項目を主画面に呼び出すことができる。個々のサブメニュー項目は、例えば機械２のためのパラメータを入力するため、若しくは機械２内の個々の駆動ユニットを動かすため、又はその他の調整可能性のために用いることができる。
【００８９】
第１のモードでは、図８に示されているような主画面が表示され、サブメニューＡ〜Ｄのいずれも選択できないようにすることができる。図５に示すように、回転ノブ１０を第１のセンサ領域１７で摘まむことにより、選択フィールドを第１のサブメニューＡ上にドラッグできる。続いて回転ノブ１０を回転させることにより、選択フィールドを所望のサブメニューＡ〜Ｄに移動させ、続いて図６の表現に従い手６をさらに前に進めて確認命令を実行することにより選択されたサブメニューが開かれる。
【００９０】
第２のモードでは、回転ノブ１０が図６の表現に従って摘ままれて、第１のセンサ領域１７と第２のセンサ領域２０の両方が作動され、それによって同様にサブメニューＡを選択できることも考えられる。ここでも回転ノブ１０を回転させることによって個々のサブメニューＡ〜Ｄの間で選択できることが考えられる。続いて手６を図６に示す位置から離すことによって、選択されたサブメニューを開くことができる。これは、例えば手６を図６に示す位置から図５に示す位置に動かすことによって、又は手６を回転ノブ１０から完全に離すことによって達成できる。
【００９１】
図９及び図１０には、例えばパラメータ値を入力するために用いることができる第１のサブメニューの画面が示されている。
【００９２】
図９から分かるように、パラメータ値を調整するためのサブメニューＡ内に個々のパラメータ値を選択するための別のサブメニュー、例えばＡａ又はＡｂを設けるようにすることができる。図５の表現に従って回転ノブ１０を第１のセンサ領域１７で摘まむことによって、サブメニューＡａ上に選択フィールドをドラッグでき、上部画面領域にそれぞれ選択されたパラメータに対する現在のパラメータ値を表示できる。回転ノブ１０を回転させることによって、選択フィールドを個々のパラメータの間で動かすことができる。特定のパラメータのパラメータ値を調整できるようにするために、それぞれ選択されたパラメータを確認命令によって、したがって手５を図５に示す位置に短く進めことによって選択できる。
【００９３】
この場合、図１０の表現に従いパラメータ値の特定の数字を選択可能にすることができ、その際に回転ノブ１０の回転によってパラメータ値の個々の数字の間で選択でき、手６の新たな確認命令によって特定の数字を調整可能にすることができる。この場合、回転ノブ１０の回転によって数値を調整でき、続いて手６をさらに前に進めて別の確認命令によって確認することができる。続いてパラメータ値の別の数字を調整できる。
【００９４】
第２のモードでは、ホームメニューに記載された第２のモードと同様に、個々のパラメータ値又はパラメータの数字及びパラメータの数値を選択するために、図６の表現に従い回転ノブ１０を直接第１のセンサ領域１７と第２の領域２０で摘まむことも考えられる。続いて手６を図６の表現に従う位置から図５の表現に従う位置に動かすか、若しくは回転ノブ１０を放すと、確認命令をトリガできる。さらに、第２のモードにおいて、図６の表現に従い回転ノブ１０が直接第１のセンサ領域１７と第２のセンサ領域２０で摘ままれた場合は、パラメータ値の個々の数値は調整可能ではなく、パラメータ値は全体として調整可能である。
【００９５】
図１１には、特定の駆動ユニットに対して移動運動を調整するためのサブメニューが示されている。
【００９６】
図１１から分かるように、例えば２種類の所定の走行速度での前進運動、若しくは２種類の所定の移動速度での後退運動、そしてまた移動停止を選択可能にすることができる。第１のモードでは、再び図５の表現に従い回転ノブ１０が第１のセンサ領域１７で把持され、選択フィールドがブロック移動停止上にドラッグされるようにすることができる。続いて回転ノブ１０の回転によって所望の移動オプションを選択することができ、再び手６を前に進めることによって確認命令を与えることができる。そうすることによって事前に選択された所望の運動を開始することができる。
【００９７】
移動運動の実行中に別の所望の移動運動が選択され、再び手６を前に進めて確認することによって再び選択されることが考えられる。
【００９８】
特に、手６がセンサ領域のうちの１つにある間だけ移動運動が行われ、回転ノブ１０を放すと移動運動が停止されるようにすることができる。
【００９９】
第２のモードでは、再び図６の表現に従い回転ノブ１０を第１のセンサ領域１７と第２のセンサ領域２０で摘まみ、それによって機械停止が選択されるようにすることができる。続いて回転ノブを回転させることによってそれぞれの移動位置を選択でき、その際にそれぞれの移動位置を選択した直後に機械２の移動運動が開始され、別個の開始命令は不要である。
【０１００】
図１２及び図１３に、機械２の駆動装置の移動速度を選択するための別のサブメニューが示されている。この場合、図５の表現に従い回転ノブ１０を第１のセンサ領域１７で摘まむことによって速度矢印を有効化し、回転ノブ１０の回転によって所定の移動速度が事前に選択されるようにすることができる。調整された移動速度はディスプレイ８に、例えば矢印で図示され、若しくは数値で表示される。続いて図１３に従って調整された移動速度の調整値を確認すると、移動運動を開始することができる。移動運動の確認及び開始は、同様に手５を図５に示す位置にさらに進めることによってトリガできる。続いて任意選択により別の移動速度を選択でき、同様に確認することによって有効化する。
【０１０１】
ここでも第２モードを設けることができ、図６の表現に従い回転ノブ１０を第１のセンサ領域１７と第２のセンサ領域２０内で摘まみ、続いて回転ノブ１０を回転させることによって直接駆動ユニットの移動を開始して、回転ノブ１０の回転によって速度を変更できる。
【０１０２】
図１２及び図１３による速度調整の２つのモードにおいても、回転ノブ１０を放すと移動運動が直ちに停止されることが考えられる。
【０１０３】
図１４の表現によれば、個々のサブメニューレベルの間の選択又はジャンプは、図４に示すように回転ノブ１０を把持領域１９で摘まむことによって達成されることが考えられる。回転ノブ１０を回すことによって、個々の階層レベルの間で選択することができる。手６を図５に示すように第１のセンサ領域１７に進め、又は図６に示すように第２のセンサ領域２０に進めることによって、それぞれ選択されたレベル階層の選択を達成できる。
【０１０４】
以上の実施形態は可能な変形例を示すものであり、この箇所で言っておくと、本発明は特別に図示された本発明の実施態様に制限されておらず、むしろ個々の実施態様を互いに種々組み合わせることが可能であり、この変形可能性は本発明による技術的行為に関する教示に基づき当該技術分野に従事する当業者の能力の範囲内にある。
【０１０５】
保護の範囲は請求項によって規定されている。しかしながら請求項を解釈するために詳細な説明と図面が援用される。図示及び説明された種々の実施例に基づく個別特徴又は特徴の組合せは、それ自体で独自の発明による解決をなすことができる。独自の発明による解決の根底にある課題は、詳細な説明から読み取ることができる。
【０１０６】
本発明の説明において値の範囲に関するすべての指示は、当該範囲内のすべての任意の部分範囲を含むものと理解すべきである。例えば１〜１０という指示には、下限１を起点として上限１０に至るまでのすべての部分範囲が含まれていると理解すべきである。即ち、すべての部分範囲は、例えば１〜１．７又は３．２〜８．１又は５．５〜１０のように、下限の１又はそれ以上から始まって上限の１０又はそれ以下で終わる。
【０１０７】
念のため最後に指摘しておくと、曲げ情報表示装置を備えた曲げ機の構造を理解しやすくするために、曲げ機若しくはその構成部分は一部縮尺通りではなく及び／又は拡大及び／又は縮小して表現された。
【符号の説明】
【０１０８】
１    製造設備
２    機械
３    制御装置
４    操作要素
５    機械オペレータ
６    手
７    操作要素本体
８    ディスプレイ
９    押しボタン
１０    回転ノブ
１１    回転軸
１２    外側面
１３    直径
１４    段部
１５    段部の端面
１６    段部の外周領域
１７    第１のセンサ領域
１８    第１のセンサ素子
１９    把持領域
２０    第２のセンサ領域
２１    第２のセンサ素子
２２    第３のセンサ領域
２３    第３のセンサ素子
２４    回転ノブの端面
２５    第４のセンサ領域
２６    第４のセンサ素子
【図１】
2020516967.tif 000003
【図２】
2020516967.tif 000004
【図３】
2020516967.tif 000005
【図４】
2020516967.tif 000006
【図５】
2020516967.tif 000007
【図６】
2020516967.tif 000008
【図７】
2020516967.tif 000009
【図８】
2020516967.tif 000010
【図９】
2020516967.tif 000011
【図１０】
2020516967.tif 000012
【図１１】
2020516967.tif 000013
【図１２】
2020516967.tif 000014
【図１３】
2020516967.tif 000015
【図１４】
2020516967.tif 000016
【手続補正書】
【提出日】平成30年4月26日(2018.4.26)
【手続補正１】
【補正対象書類名】明細書
【補正対象項目名】０００３
【補正方法】変更
【補正の内容】
【０００３】
特許文献１から知られている操作要素は、押す、引く、揺動させるなどによって命令を実行する操作要素が、スイッチとの相応の機械的連結を持たなければならないという欠点がある。そのような連結はエラーを起こしやすく、高価である。さらに、このような連結は例えば防爆領域では実現が困難である。
特許文献２は技術的システムが提供する機能を選択するためのマルチ回転ノブを開示している。このマルチ回転ノブは、複数の接触感知回転ノブ若しくは段状移行部によって分離された複数の区域を有する。個々の回転ノブ若しくは区域は、回転軸から異なる半径に同心的に形成されている。機能の選択は１つ以上の回転ノブの回転を介して行われ、その確認はマルチ回転ノブに半径方向及び／又は軸方向に力を加えることを必要とする。
特許文献３は、回転軸心の周りに環状に配置された機械的に変形可能な導電性センサ領域を有する回転ノブを開示している。これらのセンサ領域は変形可能な電気的絶縁区域の後に配置されている。機能を選択及び／又は確認するために、センサ素子の容量変化を引き起こす物理的な力が半径方向及び／又は軸方向に必要である。
【手続補正２】
【補正対象書類名】明細書
【補正対象項目名】０００４
【補正方法】変更
【補正の内容】
【０００４】
【特許文献１】オーストリア特許第５１２５２１（Ｂ１）号明細書
【特許文献２】独国特許出願公開第１９９３６２５７（Ａ１）号明細書
【特許文献３】米国特許出願公開第２０１４／２６７０３９（Ａ１）号明細書
【手続補正３】
【補正対象書類名】特許請求の範囲
【補正対象項目名】全文
【補正方法】変更
【補正の内容】
【特許請求の範囲】
【請求項１】
操作要素本体（７）と、機械（２）の制御装置（３）に命令を入力するための回転ノブ（１０）とを備えた、電気的に制御される機械（２）の操作要素（４）であって、
前記回転ノブ（１０）は前記操作要素本体（７）に回転軸を中心に回転可能に配置され、回転軸（１１）は外側面（１２）によって包囲され、前記回転ノブ（１０）は前記外側面で機械オペレータ（５）によって摘ままれ、かつ回動可能であり、
前記回転ノブ（１０）の前記外側面（１２）には、少なくとも１つの第１のセンサ素子（１８）によって検知されている第１のセンサ領域（１７）が形成され、前記第１のセンサ素子（１８）によって機械オペレータ（５）による前記第１のセンサ領域（１７）の接触が検知可能である操作要素（４）において、
前記第１のセンサ領域（１７）から軸方向に離間した把持領域（１９）が前記回転ノブ（１０）の外側面（１２）に形成され、
前記回転ノブ（１０）の把持領域（１９）にはセンサ素子が配置されておらず、前記第１のセンサ領域（１７）は前記把持領域（１９）よりも前記操作要素本体（７）に近い位置に配置されていることを特徴とする操作要素。
【請求項２】
前記第１のセンサ領域（１７）と前記把持領域（１９）は軸方向で互いに離間して形成され、前記第１のセンサ領域（１７）は前記回転ノブ（１０）の外側面（１２）に全面的に形成されていることを特徴とする請求項１に記載の操作要素。
【請求項３】
前記回転ノブ（１０）の前記外側面（１２）は第２のセンサ領域（２０）を有し、該第２のセンサ領域（２０）に少なくとも１つの第２のセンサ素子（２１）が配置され、前記第１のセンサ領域（１７）と前記第２のセンサ領域（２０）は軸方向で互いに離間して前記回転ノブ（１０）に配置されていることを特徴とする請求項１又は２に記載の操作要素。
【請求項４】
第２のセンサ領域（２０）は前記第１のセンサ領域（１７）よりも前記操作要素本体（７）に近い位置に配置されていることを特徴とする請求項２又は３に記載の操作要素。
【請求項５】
前記回転ノブ（１０）の前記外側面（１２）は段部（１４）を有し、特に該段部（１４）の端面（１５）に前記第１のセンサ領域（１７）又は第２のセンサ領域（２０）が配置されていることを特徴とする請求項１〜４の何れか一項に記載の操作要素。
【請求項６】
前記第１のセンサ領域（１７）又は前記第２のセンサ領域（２０）は、前記段部（１４）の端面（１５）から前記段部（１４）の外周領域（１６）に延びていることを特徴とする請求項５に記載の操作要素。
【請求項７】
前記段部（１４）の外周領域（１６）に少なくとも１つの第３のセンサ素子（２３）を有する第３のセンサ領域（２２）が形成されていることを特徴とする請求項５に記載の操作要素。
【請求項８】
前記回転ノブ（１０）は基本輪郭が回転対称形、特に円筒形に形成され、直径（１３）が２０ｍｍ〜８０ｍｍ、特に３５ｍｍ〜６０ｍｍ、好ましくは４０〜５０ｍｍであることを特徴とする請求項１〜７の何れか一項に記載の操作要素。
【請求項９】
１つ以上のセンサ素子（１８、２１、２３）は容量センサとして設計されていることを特徴とする請求項１〜８の何れか一項に記載の操作要素。
【請求項１０】
１つ以上のセンサ素子（１８、２１、２３）は導電率計測によって実現されることを特徴とする請求項１〜１０の何れか一項に記載の操作要素。
【請求項１１】
１つ以上のセンサ素子（１８、２１、２３）は圧力に敏感に設計され、機械オペレータ（５）の手（６）の作用力の大きさを検知できることを特徴とする請求項１〜１０の何れか一項に記載の操作要素。
【請求項１２】
前記操作要素本体（７）にディスプレイ（８）と押しボタン（９）とが配置されていることを特徴とする、請求項１〜１１の何れか一項に記載の操作要素。
【請求項１３】
操作要素本体（７）と、該操作要素本体（７）に回転軸（１１）を中心に回転可能に配置された回転ノブとを有する操作要素（４）であって、前記回転ノブ（１０）はセンサ素子（１８、２１、２３）のない把持領域（１９）と該把持領域（１９）から軸方向に離間した少なくとも１つのセンサ領域（１７、２０、２２）とを有する操作要素（４）の使用、特に請求項１〜１２の何れか一項に記載の操作要素を使用して、電気的に制御される機械（２）の制御装置（３）に命令を入力するための方法であって、
前記把持領域（１９）又はセンサ領域（１７、２０、２２）の１つにおいて機械オペレータ（５）の手（６）で前記操作要素（４）の前記回転ノブ（１０）を摘まむステップと、
前記操作要素（４）の回転ノブ（１０）を回転軸（１１）を中心に回転させることによって前記機械（２）の前記制御装置（３）に選択命令を入力するステップと、
機械オペレータ（５）の手（６）を前記回転ノブ（１０）に対して相対的に軸方向にずらして前記機械（２）の前記制御装置（３）に選択命令を入力するステップであって、機械オペレータ（５）の手（６）が前記センサ領域（１７、２０、２２）の１つから他の前記センサ領域（１７、２０、２２）へ、又は前記把持領域（１９）から前記センサ領域（１７、２０、２２）の１つへ、又は前記センサ領域（１７、２０、２２）の１つから把前記持領域（１９）へ摺動し、このような動作が関連するセンサ素子（１８、２１、２３）によってそれぞれ検知されて確認命令が入力される、選択命令を入力する方法ステップと、を含む方法。
【請求項１４】
種々のメニュー項目の間でナビゲートするために前記操作要素（４）の前記回転ノブ（１０）を第１のセンサ領域（１７）で摘まみ、前記回転ノブ（１０）を回すことによって種々のメニュー項目の間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて選択されたメニュー項目が確認され、それによって開くことを特徴とする請求項１３に記載の方法。
【請求項１５】
種々のメニュー項目の間でナビゲートするために前記操作要素（４）の前記回転ノブ（１０）を第２のセンサ領域（２０）で摘まみ、前記回転ノブ（１０）を回すことによって種々のメニュー項目の間でナビゲートし、機械オペレータ（５）の手（６）を前記第２のセンサ領域（２０）から第１のセンサ領域（１７）へ軸方向に動かすことによって、又は前記回転ノブ（１０）を放すことによって、前記機械（２）の制御装置（３）に確認命令が入力されて選択されたメニュー項目が確認され、それによって開くことを特徴とする請求項１３に記載の方法。
【請求項１６】
多数のパラメータの選択範囲において１つのパラメータを調整するために、前記操作要素（４）の前記回転ノブ（１０）を第１のセンサ領域（１７）で摘まみ、前記回転ノブ（１０）を回すことによって種々のパラメータの間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて選択されたパラメータが確認され、それによって開いて編集可能となり、
及び続いて機械オペレータ（５）の手（６）を再び前記第１のセンサ領域（１７）に案内して、前記回転ノブ（１０）を回すことによって調整すべきパラメータの個々の数字の間で選択することができ、機械オペレータ（５）の手（６）を再び前記第１のセンサ領域（１７）から前記第２のセンサ領域（２０）へ軸方向に動かすことによって前記機械（２）の前記制御装置（３）に確認命令が入力されて、選択された数字が調整可能になり、
及び続いて機械オペレータ（５）の手（６）を再び前記第１のセンサ領域（１７）に案内して、前記回転ノブ（１０）を回すことによって選択された数値を選択でき、再び機械オペレータ（５）の手（６）を前記第１のセンサ領域（１７）から前記第２のセンサ領域（２０）へ軸方向に動かすことによって、前記機械（２）の前記制御装置（３）に確認命令が入力されて、選択された数値が確認され、新しい数字が選択可能であることを特徴とする請求項１３〜１５の何れか一項に記載の方法。
【請求項１７】
多数のパラメータの選択範囲において１つのパラメータを調整するために、前記操作要素（４）の前記回転ノブ（１０）を第１のセンサ領域（１７）で摘まみ、前記回転ノブ（１０）を回すことによって種々のパラメータの間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて選択されたパラメータが確認され、それによって開いて編集可能となり、
及び機械オペレータ（５）の手（６）を同時に前記第２のセンサ領域（２０）に保持したまま前記回転ノブ（１０）を回動することによって全パラメータ値がそのすべての数字を考慮に入れて調整され、及び前記回転ノブ（１０）を放すことによって、又は機械オペレータ（５）の手（６）を前記第２のセンサ領域（２０）から前記第１のセンサ領域（１７）へ軸方向に動かすことによって調整されたパラメータ値が確認されることを特徴とする請求項１３〜１５の何れか一項に記載の方法。
【請求項１８】
電気的に制御される機械（２）の駆動ユニットの移動運動を選択するために、前記操作要素（４）の前記回転ノブ（１０）を第１のセンサ領域（１７）で摘まみ、前記回転ノブ（１０）を回すことによって種々の運動位置の間でナビゲートし、機械オペレータ（５）の手（６）を前記第１のセンサ領域（１７）から第２のセンサ領域（２０）へ軸方向に動かすことによって前記機械（２）の前記制御装置（３）に確認命令が入力されて移動運動が開始され、任意選択により移動運動中に前記回転ノブ（１０）を回して別の運動位置を選択することにより移動速度を変更できることを特徴とする請求項１３〜１７の何れか一項に記載の方法。
【請求項１９】
電気的に制御される機械（２）の駆動ユニットの移動運動を選択するために、前記操作要素（４）の前記回転ノブ（１０）を第２のセンサ領域（２０）で摘まみ、前記回転ノブ（１０）を回すことによって種々の運動位置の間でナビゲートし、運動位置を選択した直後に前記機械（２）の前記制御装置（３）に確認命令が入力されて移動運動が開始され、任意選択により移動運動中に前記回転ノブ（１０）を回して別の運動位置を選択することにより移動速度を変更できることを特徴とする請求項１３〜１７の何れか一項に記載の方法。
【請求項２０】
電気的に制御される機械（２）の駆動ユニットの移動速度を選択するために、前記操作要素（４）の前記回転ノブ（１０）を第１のセンサ領域（１７）で摘まみ、前記操作要素（４）の前記回転ノブ（１０）を回すことによって種々の速度を連続的又は増分的に調整することができ、機械オペレータ（５）の手（６）を前記第１のセンサ領域（１７）から第２のセンサ領域（２０）へ軸方向に動かすことによって前記機械（２）の前記制御装置（３）に確認命令が入力されて移動運動が開始され、任意選択により移動運動中に前記回転ノブ（１０）を回して移動速度を変更できることを特徴とする請求項１３〜１９の何れか一項に記載の方法。
【請求項２１】
電気的に制御される機械（２）の駆動ユニットの移動運動を選択するために、前記操作要素（４）の前記回転ノブ（１０）を第２のセンサ領域（２０）で摘まみ、前記回転ノブ（１０）を回すことによって種々の運動速度を連続的又は増分的に調整でき、移動速度を選択した直後に前記機械（２）の前記制御装置（３）に確認命令が入力されて移動運動が開始され、任意選択により移動運動中に前記回転ノブ（１０）を回すことによって移動速度を連続的又は増分的に変更できることを特徴とする請求項１３〜１９の何れか一項に記載の方法。
【請求項２２】
前記第２のセンサ領域（２０）から手（６）を離すことによって、又は前記回転ノブ（１０）を放すことによって移動運動が停止することを特徴とする請求項１８〜２１の何れか一項に記載の方法。
【請求項２３】
移動運動が停止した後、移動速度又は移動運動のための調整値は事前に選択されたままであり、機械オペレータ（５）の手（６）を再び前記第２のセンサ領域（２０）に動かすと、駆動ユニットは移動運動又は移動速度に対して事前に調整された値で動くことを特徴とする請求項２２に記載の方法。
【請求項２４】
移動運動が停止した後、移動速度又は移動運動のための調整値はゼロに設定されなければならず、新たな移動運動は移動速度又は移動速度を事前に確定することによって開始されなければならないことを特徴とする請求項２２に記載の方法。
【請求項２５】
押しボタン（９）を２回押すことによってディスプレイ（８）にメインメニューが表示されて別の命令のためにアクセスできることを特徴とする請求項１３〜２４の何れか一項に記載の方法。
【請求項２６】
押しボタン（９）を１回押すことによってディスプレイ（８）に所定のサブメニュー、特に電気的に制御される機械（２）の駆動ユニットの移動運動を選択するためのメニューが表示されて別の命令のためにアクセスできることを特徴とする請求項１３〜２５の何れか一項に記載の方法。
【請求項２７】
押しボタン（９）を長く押すことによって複数のエラーメッセージに同時に応答できることを特徴とする請求項１３〜２６の何れか一項に記載の方法。
【請求項２８】
サブメニューの種々の階層レベルの間でナビゲートするために、前記操作要素（４）の前記回転ノブ（１０）を前記把持領域（１９）で摘まみ、前記回転ノブ（１０）を回すことによって種々のサブメニューレベルの間でナビゲートできることを特徴とする請求項１３〜２７の何れか一項に記載の方法。
【国際調査報告】
2020516967.tif 000017
2020516967.tif 000018
2020516967.tif 000019
2020516967.tif 000020
2020516967.tif 000021
2020516967.tif 000022